(57)【要約】【課題】検査精度の低下を低減する検査チップ、検査システム、及び、検査方法を提供する。【解決手段】検査チップは、所定方向６０４に配列された複数の溝６７０が設けられた壁部によって形成された保持部６００、保持部６００に導入される試薬が一時的に保持される液受部４１０、液受部４１０と保持部６００とを接続する第一流路６０１、及び保持部６００から試薬を流出させる第二流路６０２を備える。複数の溝６７０は、夫々、所定方向６０４のうち第二流路６０２に近接する第二流路側を構成する第二溝壁部と、第二流路側と反対の第一流路側を構成する第一溝壁部とを有する。第一溝壁部及び前記第二溝壁部の間の距離は、溝の底部に向かう程小さくなる。所定方向６０４に対して第二溝壁部のなす角度である第二角度は、所定方向６０４に対して第一溝壁部のなす角度である第一角度よりも大きい。【選択図】図４
2017032385.tif 000002
【特許請求の範囲】
【請求項１】
所定方向に配列され、抗原抗体反応のための固相化抗体を固定させるための担体を保持するための複数の溝が少なくとも一部に設けられた壁部によって形成された保持部と、
前記保持部に導入される試薬が一時的に保持される導入部と、
前記導入部と前記保持部とを接続し、前記導入部から前記保持部に前記試薬を流す第一流路と、
前記保持部に接続し、前記保持部から前記試薬を流出させる第二流路と
を備えた検査チップであって、
前記複数の溝は、それぞれ、
前記所定方向のうち前記第二流路に近接する第二流路側を構成する第二溝壁部と、前記第二流路側と反対の第一流路側を構成する第一溝壁部とを有し、
前記第一溝壁部及び前記第二溝壁部の間の距離は、溝の底部に向かう程小さくなり、
前記所定方向に対して前記第二溝壁部のなす角度である第二角度は、前記所定方向に対して前記第一溝壁部のなす角度である第一角度よりも大きいことを特徴とする検査チップ。
【請求項２】
前記第二角度が略９０度であることを特徴とする請求項１に記載の検査チップ。
【請求項３】
前記壁部は、前記複数の溝のそれぞれの深さ方向に沿って前記底部に向かう方向の力が作用する作用領域を備え、
前記複数の溝の少なくとも一部は、前記壁部の前記作用領域に配置されたことを特徴とする請求項１又は２に記載の検査チップ。
【請求項４】
前記作用領域には、前記複数の溝のそれぞれの深さ方向に沿って前記底部に向かう方向に磁力が作用することを特徴とする請求項３に記載の検査チップ。
【請求項５】
前記保持部は、前記第一流路に接続する第一開口と、前記第二流路に接続し且つ前記第一開口よりも小さい断面積を有する第二開口とを有し、
前記複数の溝のうち前記第一開口と交差する第一溝の数は、前記複数の溝のうち前記第二開口と交差する第二溝の数よりも多いことを特徴とする請求項１から４の何れかに記載の検査チップ。
【請求項６】
前記保持部の前記壁部は、
互いに離隔して対向する面状の第一壁部及び第二壁部と、
前記第一壁部及び前記第二壁部の間に設けられ、前記第一開口と接続する第三壁部と、
前記第一壁部及び前記第二壁部の間に設けられ、前記第二開口と接続する第四壁部と
を有し、
前記複数の溝は、前記第一壁部及び前記第二壁部の少なくとも一方に設けられ、前記第三壁部及び前記第四壁部には設けられず、
前記第二溝に沿って前記第二開口に向けて延びる第二溝方向と、前記第四壁部の延びる方向とが交差することを特徴とする請求項５に記載の検査チップ。
【請求項７】
前記保持部の前記壁部は、
互いに離隔して対向する面状の第一壁部及び第二壁部と、
前記第一壁部及び前記第二壁部の間に設けられ、前記第一開口と接続する第三壁部と、
前記第一壁部及び前記第二壁部の間に設けられ、前記第二開口と接続する第四壁部と、
前記第一開口と前記第二開口とを隔離する隔離部と
を有し、
前記第三壁部に沿って前記第一壁部及び前記第二壁部と平行に延びる第一直線と、前記第四壁部に沿って前記第一壁部及び前記第二壁部と平行に延びる第二直線との交点から、前記隔離部に向けて延びる第一方向は、前記第一溝に沿って前記第一開口に向けて延びる第一溝方向に対して前記第二流路側を向き、
前記第三壁部に沿って前記第一開口に向けて延びる第二方向は、前記第一溝方向に対して前記第一流路側を向いたことを特徴とする請求項５に記載の検査チップ。
【請求項８】
請求項１から６の何れかに記載の前記検査チップと、
前記検査チップを保持するホルダと、
主軸を中心として前記ホルダを回転させ、且つ、前記主軸と交差する方向に延びる揺動軸を中心として前記ホルダを回転させることにより、前記主軸の回転による遠心力の前記ホルダに対する方向を、互いに直交する第一遠心方向と第二遠心方向との間で変化させる遠心機構と
を備えたことを特徴とする検査システム。
【請求項９】
前記所定方向は、前記第一遠心方向及び前記第二遠心方向の何れとも交差することを特徴とする請求項８に記載の検査システム。
【請求項１０】
前記検査チップの前記壁部は、前記複数の溝のそれぞれの深さ方向に沿って前記底部に向かう方向の力が作用する作用領域を備え、
前記複数の溝の少なくとも一部は、前記壁部の前記作用領域に配置されたことを特徴とする請求項８又は９に記載の検査システム。
【請求項１１】
前記検査チップの前記複数の溝に、前記担体が保持され、
前記担体に磁力を作用させる磁石が、前記ホルダに設けられたことを特徴とする請求項１０に記載の検査システム。
【請求項１２】
検査チップのうち、所定方向に配列され、抗原抗体反応のための担体を保持するための複数の溝が少なくとも一部に設けられた壁部によって形成された保持部に、第一流路を介して導入部から試薬を流入させる流入工程と、
前記保持部内の前記担体に、前記流入工程によって前記保持部に流入された試薬を接触させた後、前記担体に接触した前記試薬を第二流路を介して流出させる流出工程と
を備えた検査方法であって、
前記複数の溝は、それぞれ、
前記所定方向のうち前記第二流路に近接する前記第二流路側を構成する第二溝壁部と、前記第二流路側と反対の第一流路側を構成する第一溝壁部とを有し、
前記第一溝壁部及び前記第二溝壁部の間の距離は、溝の底部に向かう程小さくなり、
前記所定方向に対して前記第二溝壁部のなす角度である第二角度は、前記所定方向に対して前記第一溝壁部のなす角度である第一角度よりも大きいことを特徴とする検査方法。
【発明の詳細な説明】
【技術分野】
【０００１】
本発明は、抗原抗体反応のためのビーズを保持する検査チップ、検査システム、及び、検査方法に関する。
【背景技術】
【０００２】
従来、抗原抗体反応のためのビーズを備える検査チップが知られている。例えば、特許文献１に記載の磁性ビードパッキングユニットは、試料液チャンバー、ウエストチャンバー、及び微細流動チャンネルを備えている。微細流動チャネルは、試料液チャンバーとウエストチャンバーとを接続する。微細流動チャンネルは、試料液チャンバー側の入口と、ウエストチャンバー側の出口との間の流路である。微細流動チャンネルは、屈曲部とボトルネック部とを備えている。屈曲部に隣接した位置には、磁石が配置される。
【０００３】
抗原を含む試料液に、磁石に引き付けられるビーズである磁性ビードが混合される。磁性ビードが混合された試料液は、試料液チャンバーに注入され、遠心力の作用によって、微細流動チャンネルを流れる。磁性ビードの移動速度は、ボトルネック部で遅くなる。磁性ビードは、磁石の磁力に引かれて屈曲部に保持される。磁性ビードが分離された試料液は、ウエストチャンバーに流れる。試料液チャンバーにバッファ液が注入される。屈曲部に保持された磁性ビードは、バッファ液によって洗浄される。免疫反応の検出のための基質が試料液チャンバーに注入される。屈曲部に保持された磁性ビードの表面に基質が付着する。基質の種類に応じた測定方法によって、免疫反応が検出される。
【先行技術文献】
【特許文献】
【０００４】
【特許文献１】特開２００８−５８３０２号公報
【発明の概要】
【発明が解決しようとする課題】
【０００５】
従来の磁性ビードパッキングユニットでは、屈曲部において、磁性ビードが常に磁石に引き付けられる。このため、バッファ液内で磁性ビードが良好に流動せず、磁性ビードの表面の洗浄が行われない場合があった。又、基質内で磁性ビードが良好に流動せず、磁性ビードの表面に基質が付き難い場合があった。これらの場合、検査精度が低下する可能性があった。
【０００６】
本発明の目的は、検査精度の低下を低減する検査チップ、検査システム、及び、検査方法を提供することである。
【０００７】
本発明の第一態様に係る検査チップは、所定方向に配列され、抗原抗体反応のための固相化抗体を固定させるための担体を保持するための複数の溝が少なくとも一部に設けられた壁部によって形成された保持部と、前記保持部に導入される試薬が一時的に保持される導入部と、前記導入部と前記保持部とを接続し、前記導入部から前記保持部に前記試薬を流す第一流路と、前記保持部に接続し、前記保持部から前記試薬を流出させる第二流路とを備えた検査チップであって、前記複数の溝は、それぞれ、前記所定方向のうち前記第二流路に近接する第二流路側を構成する第二溝壁部と、前記第二流路側と反対の第一流路側を構成する第一溝壁部とを有し、前記第一溝壁部及び前記第二溝壁部の間の距離は、溝の底部に向かう程小さくなり、前記所定方向に対して前記第二溝壁部のなす角度である第二角度は、前記所定方向に対して前記第一溝壁部のなす角度である第一角度よりも大きいことを特徴とする。
【０００８】
第一態様によれば、検査チップでは、導入部から第一流路を介して保持部に試薬が流入される。保持部に流入された試薬は、複数の溝によって保持された担体に接触する。担体に接触した試薬は、第二流路を介して流出される。ここで、各溝は、第一溝壁部と第二溝壁部とを有する。第一溝壁部と第二溝壁部との間の距離は、底部に向かう程小さくなるので、担体は複数の溝に良好に集積される。又、第一溝壁部のなす第一角度は、第二溝壁部のなす第二角度よりも小さい。このため、集積された担体が溝から流出し易くなるので、担体は試薬の流入によって良好に流動する。従って、検査チップは、担体を流動させることによって担体と試薬とを良好に接触させることができるので、担体と試薬との接触が阻害されて検査精度が低下することを抑制できる。なお、第二溝壁部のなす第二角度は、第一溝壁部のなす第一角度よりも大きい。このため、担体と接触した試薬が第二流路に流出するときに、担体が保持部から流出することを、第二溝壁部によって適切に抑制できる。
【０００９】
第一態様において、前記第二角度が略９０度であってもよい。この場合、担体と接触した試薬が第二流路に流出するときに、担体が保持部から流出することを、第二溝壁部によって更に適切に抑制できる。
【００１０】
第一態様において、前記壁部は、前記複数の溝のそれぞれの深さ方向に沿って前記底部に向かう方向の力が作用する作用領域を備え、前記複数の溝の少なくとも一部は、前記壁部の前記作用領域に配置されてもよい。この場合、作用領域に配置された溝の内部の担体に対して、底部に向かう方向の力が作用する。従って、検査チップは、複数の溝に担体を適切に保持できる。
【００１１】
第一態様において、前記作用領域には、前記複数の溝のそれぞれの深さ方向に沿って前記底部に向かう方向に磁力が作用してもよい。この場合、作用領域に配置された溝の内部の担体に対して、底部に向かう方向の磁力が作用する。従って、検査チップは、磁力によって、複数の溝に担体を保持できる。
【００１２】
第一態様において、前記保持部は、前記第一流路に接続する第一開口と、前記第二流路に接続し且つ前記第一開口よりも小さい断面積を有する第二開口とを有し、前記複数の溝のうち前記第一開口と交差する第一溝の数は、前記複数の溝のうち前記第二開口と交差する第二溝の数よりも多くてもよい。この場合、第一流路を介して保持部に流入する試薬は、相対的に多い数の第一溝に流入する。このため、検査チップは、溝によって保持された担体を、試薬の流入によって良好に流動させることができる。従って、検査チップは、保持部内に流入した試薬を担体と良好に接触させることができる。又、保持部で担体に接触した試薬は、相対的に少ない数の第二溝を通って第二流路に流出する。従って、検査チップは、複数の溝に保持された担体が保持部から流出することを適切に抑制できる。
【００１３】
第一態様において、前記保持部の前記壁部は、互いに離隔して対向する面状の第一壁部及び第二壁部と、前記第一壁部及び前記第二壁部の間に設けられ、前記第一開口と接続する第三壁部と、前記第一壁部及び前記第二壁部の間に設けられ、前記第二開口と接続する第四壁部とを有し、前記複数の溝は、前記第一壁部及び前記第二壁部の少なくとも一方に設けられ、前記第三壁部及び前記第四壁部には設けられず、前記第二溝に沿って前記第二開口に向けて延びる第二溝方向と、前記第四壁部の延びる方向とが交差してもよい。この場合、検査チップは、第四壁部に沿って試薬が流れることに応じて保持部から担体が流出することを、第二溝によって適切に抑制できる。
【００１４】
第一態様において、前記保持部の前記壁部は、互いに離隔して対向する面状の第一壁部及び第二壁部と、前記第一壁部及び前記第二壁部の間に設けられ、前記第一開口と接続する第三壁部と、前記第一壁部及び前記第二壁部の間に設けられ、前記第二開口と接続する第四壁部と、前記第一開口と前記第二開口とを隔離する隔離部とを有し、前記第三壁部に沿って前記第一壁部及び前記第二壁部と平行に延びる第一直線と、前記第四壁部に沿って前記第一壁部及び前記第二壁部と平行に延びる第二直線との交点から、前記隔離部に向けて延びる第一方向は、前記第一溝に沿って前記第一開口に向けて延びる第一溝方向に対して前記第二流路側を向き、前記第三壁部に沿って前記第一開口に向けて延びる第二方向は、前記第一溝方向に対して前記第一流路側を向いてもよい。この場合、保持部に流入する試薬は、第一溝に沿って流れやすい。このため、検査チップは、第一溝に保持された担体を、試薬の流入によって良好に流動させることができる。
【００１５】
本発明の第二態様に係る検査システムは、第一態様に係る前記検査チップと、前記検査チップを保持するホルダと、主軸を中心として前記ホルダを回転させ、且つ、前記主軸と交差する方向に延びる揺動軸を中心として前記ホルダを回転させることにより、前記主軸の回転による遠心力の前記ホルダに対する方向を、互いに直交する第一遠心方向と第二遠心方向との間で変化させる遠心機構とを備えている。
【００１６】
第二態様によれば、検査システムは、遠心機構によってホルダを回転させることによって、ホルダに保持された検査チップに遠心力を作用させる。又、検査システムは、検査チップに作用させる遠心力の方向を、第一遠心方向と第二遠心方向との間で変化させる。第一遠心方向と第二遠心方向とのうち一方の方向の遠心力によって、導入部に一時的に保持された試薬は、第一流路を介して保持部に流入する。ここで、保持部の各溝の第一溝壁部のなす第一角度は、第二溝壁部のなす第二角度よりも小さい。このため、保持部に試薬が流入するときに、担体は良好に流動する。従って、担体と試薬とを良好に接触させることができる。又、他方の方向の遠心力によって、保持部内の試薬は、第二流路を介して保持部から流出する。このとき、保持部の各溝の第二溝壁部は、担体が保持部から流出することを適切に抑制できる。
【００１７】
第二態様において、前記所定方向は、前記第一遠心方向及び前記第二遠心方向の何れとも交差してもよい。この場合、検査システムは、保持部に流入した試薬を溝に流入し易くすると同時に、担体と接触した試薬が第二流路に流出することを抑制できる。
【００１８】
第二態様において、前記検査チップの前記壁部は、前記複数の溝のそれぞれの深さ方向に沿って前記底部に向かう方向の力が作用する作用領域を備え、前記複数の溝の少なくとも一部は、前記壁部の前記作用領域に配置されてもよい。この場合、作用領域に配置された溝の内部の担体に対して、底部に向かう方向の力が作用する。従って、検査システムでは、検査チップの複数の溝に担体を適切に保持させることができる。
【００１９】
第二態様において、前記検査チップの前記複数の溝に、前記担体が保持され、前記担体に磁力を作用させる磁石が、前記ホルダに設けられてもよい。この場合、検査システムは、磁石によって検査チップに磁力を作用させることによって、複数の溝に担体を保持させることができる。
【００２０】
本発明の第三態様に係る検査方法は、検査チップのうち、所定方向に配列され、抗原抗体反応のための担体を保持するための複数の溝が少なくとも一部に設けられた壁部によって形成された保持部に、第一流路を介して導入部から試薬を流入させる流入工程と、前記保持部内の前記担体に、前記流入工程によって前記保持部に流入された試薬を接触させた後、前記担体に接触した前記試薬を第二流路を介して流出させる流出工程とを備えた検査方法であって、前記複数の溝は、それぞれ、前記所定方向のうち前記第二流路に近接する前記第二流路側を構成する第二溝壁部と、前記第二流路側と反対の第一流路側を構成する第一溝壁部とを有し、前記第一溝壁部及び前記第二溝壁部の間の距離は、溝の底部に向かう程小さくなり、前記所定方向に対して前記第二溝壁部のなす角度である第二角度は、前記所定方向に対して前記第一溝壁部のなす角度である第一角度よりも大きいことを特徴とする。
【００２１】
第三態様によれば、導入部から第一流路を介して保持部に試薬が流入され、試薬が担体に接触する。次いで、担体に接触した試薬が第二流路を介して流出される。ここで、各溝の第一溝壁部のなす第一角度は、第二溝壁部のなす第二角度よりも小さい。このため、保持部に試薬が流入するときに、担体は良好に流動する。従って、担体と試薬とを良好に接触させることができるので、担体と試薬との接触が阻害されて検査精度が低下することを抑制できる。又、各溝の第二溝壁部は、保持部から試薬が流出するときに、担体が保持部から流出することを適切に抑制できる。
【図面の簡単な説明】
【００２２】
【図１】検査装置１及び制御装置９０を含む検査システム３の構成を示す図である。
【図２】検査チップ２の正面図である。
【図３】検査チップ２の後面図である。
【図４】ビーズ保持部６００近傍を拡大した正面図である。
【図５】ビーズ保持部６００近傍を拡大した正面図である。
【図６】図４のＡ−Ａ線矢視方向断面図である。
【図７】図６の枠Ｗを拡大した図である。
【図８】遠心処理のフローチャートである。
【図９】遠心処理における検査チップ２の状態遷移図である。
【図１０】図９から続く状態遷移図である。
【図１１】図１０から続く状態遷移図である。
【図１２】図１１から続く状態遷移図である。
【図１３】図１２から続く状態遷移図である。
【図１４】図６の枠Ｗを拡大した図である。
【発明を実施するための形態】
【００２３】
本発明の一実施形態を説明する。図１は、検査システム３を構成する検査装置１の平面及び制御装置９０の内部の機能ブロックを示す。
【００２４】
＜１．検査システム３の概略構造＞
図１を参照して、検査システム３の概略構造を説明する。本実施形態の検査システム３は、液体である試薬を収容可能な検査チップ２と、検査チップ２を用いて検査を行う検査装置１とを含む。検査装置１が検査チップ２から離間した垂直軸線Ａ１を中心として検査チップ２を回転させると、遠心力が検査チップ２に作用する。検査装置１が水平軸線Ａ２を中心に検査チップ２を回転させると、検査チップ２に作用する遠心力の方向である遠心方向が切り替えられる。本実施形態の検査システム３及び検査装置１は、特開２０１２−７８１０７号公報に記載されているように周知の構造であるので、以下の説明では、検査装置１の構造を概略的に説明する。
【００２５】
＜２．検査装置１の構造＞
図１を参照して、検査装置１の構造を説明する。以下の説明では、図１の上方、下方、右方、左方、紙面手前側、及び紙面奥側を、夫々、検査装置１の前方、後方、右方、左方、上方、及び下方とする。本実施形態では、垂直軸線Ａ１の方向は検査装置１の上下方向であり、水平軸線Ａ２の方向は、検査チップ２が垂直軸線Ａ１を中心として回転される際の速度の方向である。図１は検査装置１の上部筐体３０の天板が取り除かれた状態を示す。
【００２６】
図１に示すように、検査装置１は、上部筐体３０、下部筐体２９、上板３２、ターンテーブル３３、角度変更機構３４、及び制御装置９０を備える。ターンテーブル３３は、後述する上板３２の上側に回転可能に設けられた円盤である。検査チップ２は、ターンテーブル３３の上方に保持される。角度変更機構３４は、ターンテーブル３３に設けられた駆動機構である。この角度変更機構３４は、水平軸線Ａ２を中心に検査チップ２を各々回転させる。上部筐体３０は、後述する上板３２に固定されており、検査チップ２に対して光学測定を行う測定部７が内部に設けられている。制御装置９０は、検査装置１の各種処理を制御するコントローラである。
【００２７】
下部筐体２９の概略構造を説明する。下部筐体２９は、枠部材を組み合わせた箱状のフレーム構造を有する。下部筐体２９の上面には、長方形の板材である上板３２が設けられている。下部筐体２９の内部には、垂直軸線Ａ１を中心にターンテーブル３３を回転させる駆動機構が、次のように設けられている。
【００２８】
下部筐体２９内の左方寄りに、ターンテーブル３３を回転させるための駆動力を供給する主軸モータ３５が設置されている。主軸モータ３５の軸３６は、上方に突出しており、プーリ３７が固定されている。下部筐体２９の中央部には、下部筐体２９の内部から上方に延びる垂直な主軸５７が設けられている。主軸５７は、上板３２を貫通して、下部筐体２９の上側に突出している。主軸５７の上端部は、ターンテーブル３３の中央部に接続されている。
【００２９】
主軸５７は、上板３２の直下に設けられた図示しない支持部材により、回転自在に保持されている。支持部材の下側では、主軸５７にプーリ３８が固定されている。プーリ３７とプーリ３８とに亘って、ベルト３９が掛け渡されている。主軸モータ３５が軸３６を回転させると、プーリ３７、ベルト３９、及びプーリ３８を介して駆動力が主軸５７に伝達される。このとき、主軸５７の回転に連動して、ターンテーブル３３が主軸５７を中心に回転する。
【００３０】
下部筐体２９内の右方寄りに、下部筐体２９の内部において上下方向に延びる図示しないガイドレールが設けられている。図示しないＴ型プレートは、ガイドレールに沿って下部筐体２９内において上下方向に移動可能である。
【００３１】
先述の主軸５７は、内部が中空の筒状体である。図示しない内軸は、主軸５７の内部において上下方向に移動可能な軸である。内軸の上端部は、主軸５７内を貫通してラックギア４３に接続されている。Ｔ型プレートの左端部には、図示しない軸受が設けられている。軸受の内部では、内軸の下端部が回転自在に保持される。
【００３２】
Ｔ型プレートの前方には、Ｔ型プレートを上下動させるためのステッピングモータ５１が固定されている。ステッピングモータ５１の軸５８は後方、すなわち図１では下方側に向けて突出している。軸５８の先端には、図示しない円盤状のカム板が固定されている。カム板の後側の面には、図示しない円柱状の突起が設けられている。突起の先端部は、図示しない溝部に挿入されている。突起は、溝部内を摺動可能である。ステッピングモータ５１が軸５８を回転させると、カム板の回転に連動して突起が上下動する。このとき、溝部に挿入されている突起に連動して、Ｔ型プレートがガイドレールに沿って上下動する。
【００３３】
角度変更機構３４の詳細構造を説明する。角度変更機構３４は、ターンテーブル３３の上面に固定された一対のＬ型プレート６０を有する。各Ｌ型プレート６０は、ターンテーブル３３の中心近傍に固定された基部から上方に延び、且つ、その上端部がターンテーブル３３の径方向外側に向けて延びている。一対のＬ型プレート６０の間には、内軸に固定された図示しないラックギア４３が設けられている。ラックギア４３は、上下方向に長い金属製の板状部材であり、両端面にギアが各々刻まれている。
【００３４】
各Ｌ型プレート６０の延設方向の先端側では、ギア４５を有する水平な支軸４６が回転自在に軸支されている。支軸４６は、後述するホルダ５２を介して検査チップ２に固定されている。このため、ギア４５の回転に連動して検査チップ２も支軸４６を中心に回転する。ギア４５とラックギア４３との間には、Ｌ型プレート６０により図示略の水平軸線を中心に回転自在に支持されたピニオンギア４４が介在している。ピニオンギア４４は、ギア４５及びラックギア４３に夫々噛合している。ラックギア４３の上下動に連動して、ピニオンギア４４、及びギア４５が夫々従動回転し、ひいては検査チップ２が支軸４６を中心に回転する。
【００３５】
本実施形態では、主軸モータ３５がターンテーブル３３を回転駆動するのに伴って、検査チップ２が垂直軸である主軸５７を中心に回転して、検査チップ２に遠心力が作用される。検査チップ２の垂直軸線Ａ１を中心とした回転を、公転と呼ぶ。一方、ステッピングモータ５１が内軸を上下動させるのに伴って、検査チップ２が水平軸である支軸４６を中心に回転して、検査チップ２に作用する遠心力の方向が相対変化する。検査チップ２の水平軸線Ａ２を中心とした回転を、自転と呼ぶ。
【００３６】
Ｔ型プレートが可動範囲の最下端まで下降した状態では、ラックギア４３も可動範囲の最下端まで下降する。このとき、検査チップ２は、自転角度が０度の定常状態になる。また、Ｔ型プレートが可動範囲の最上端まで上昇した状態では、ラックギア４３も可動範囲の最上端まで上昇する。このとき、検査チップ２は、定常状態から水平軸線Ａ２を中心に１８０度回転した状態になる。つまり、本実施形態では検査チップ２が自転可能な角度幅は、自転角度０度〜１８０度である。
【００３７】
ホルダ５２は、検査チップ２が装着可能な装着部５３を有する。装着部５３の上側に開口部５４が形成される。開閉部５４Ａは、装着部５３に検査チップ２が装着された状態で、開口部５４から検査チップ２が外れないように保持することができる。アパーチャ５５は、装着部５３の前面を形成する板状部材である。
【００３８】
上部筐体３０の詳細構造を説明する。図１に示すように、上部筐体３０は、枠部材を組み合わせた箱状のフレーム構造を有し、上板３２の左部上側に設置されている。より詳細には、上部筐体３０は、ターンテーブル３３の回転中心にある主軸５７からみて、検査チップ２が回転される範囲の外側に設けられている。
【００３９】
上部筐体３０の内部に設けられた測定部７は、測定光を発光する光源７１と、光源７１から発せられた測定光を検出する光センサ７２とを有する。光源７１及び光センサ７２は、検査チップ２の回転範囲の外側において、ターンテーブル３３の前後両側に配置されている。本実施形態では、検査チップ２の公転可能範囲のうちで主軸５７の左側位置が、検査チップ２に測定光が照射される測定位置である。検査チップ２が測定位置にある場合、光源７１と光センサ７２とを結ぶ測定光が、検査チップ２の前面及び後面に対して略垂直に交差する。ホルダ５２のアパーチャ５５は、光源７１から光センサ７２に向けて発光された測定光を検査チップ２の測定部４５０に透過させる。
【００４０】
＜３．制御装置９０の電気的構成＞
図１を参照して、制御装置９０の電気的構成を説明する。制御装置９０は、検査装置１の主制御を司るＣＰＵ１０１と、各種データを一時的に記憶するＲＡＭ１０２と、制御プログラムを記憶したＲＯＭ１０３とを有する。ＣＰＵ１０１には、ユーザが制御装置９０に対する指示を入力するための操作部１０４と、各種データ、及びプログラムを記憶するハードディスク装置１０５と、各種情報を表示するディスプレイ１０６とが接続されている。制御装置９０としては、パーソナルコンピュータを用いてもよいし、専用の制御装置を用いてもよい。
【００４１】
さらに、ＣＰＵ１０１には、公転コントローラ９７、自転コントローラ９８、及び測定コントローラ９９が接続されている。公転コントローラ９７は、主軸モータ３５を回転駆動させる制御信号を主軸モータ３５に送信することによって、検査チップ２の公転を制御する。自転コントローラ９８は、ステッピングモータ５１を回転駆動させる制御信号をステッピングモータ５１に送信することによって、検査チップ２の自転を制御する。測定コントローラ９９は、測定部７を駆動することによって、検査チップ２の光学測定を実行する。詳細には、測定コントローラ９９は、光源７１の発光、及び光センサ７２の光検出を実行させる制御信号を、光源７１及び光センサ７２に送信する。ＣＰＵ１０１は公転コントローラ９７、自転コントローラ９８及び測定コントローラ９９を制御する。
【００４２】
＜４．検査チップ２の構造＞
図２、図３を参照して、本実施形態に係る検査チップ２の詳細構造を説明する。以下の説明では、図２の上方、下方、左方、右方、紙面手前側、及び紙面奥側を、夫々、検査チップ２の上方、下方、左方、右方、前方、及び後方とする。前後方向は、検査チップ２の厚み方向に対応する。本実施形態では、検査チップ２が使用され、ＥＬＩＳＡ法によって検査が行われる。ＥＬＩＳＡは、Ｅｎｚｙｍｅ−ｌｉｎｋｅｄ  ｉｍｍｕｎｏｓｏｒｂｅｎｔ  ａｓｓａｙの略である。
【００４３】
検査チップ２の物理的構造を説明する。図２及び図３に示すように、検査チップ２は、正面視で上辺部８１、下辺部８４、右辺部８２、及び左辺部８３を有する、上下方向に長い長方形状である。検査チップ２は、所定の厚みを有する透明な合成樹脂の板材１９を主体とする。板材１９は、上下方向及び左右方向に延び、且つ上下方向に長い板状である。板材１９は、前面である第一面２０３と、第一面２０３の反対側の後面である第二面２０４とを有する。
【００４４】
図２及び図３に示すように、第一面２０３及び第二面２０４は、夫々透明の合成樹脂の薄板から構成された平面状のシート２９１，２９２によって封止されている。シート２９１，２９２と板材１９との間には、検査チップ２に封入された液体が流動可能な液体流路２５が形成されている。検査チップ２に封入された液体は、液体流路２５に沿って予め定められた移動経路（以下、液体移動経路という。）を流動可能である。
【００４５】
液体流路２５は、反応停止液注入部３１０、供給部３２０、基質溶液注入部３３０、供給部３４０、洗浄液注入部３５０、供給部３６０、標識抗体液注入部３７０、供給部３８０、検査液体注入部３９０、供給部４００、液受部４１０、供給部４２０、余剰部４３０、接続部５００、ビーズ保持部６００、供給部４４０、測定部４５０、廃液部４６０等を含む。液体流路２５は、接続部５００、ビーズ保持部６００、及び測定部４５０を除いて、板材１９を前後方向に貫通し、且つ前後方向と直交する方向に延びる。反応停止液注入部３１０、基質溶液注入部３３０、洗浄液注入部３５０、標識抗体液注入部３７０、検査液体注入部３９０、液受部４１０、余剰部４３０、ビーズ保持部６００、測定部４５０、及び廃液部４６０は、何れも下向きに延びる凹部である。
【００４６】
反応停止液注入部３１０は、液体移動経路の最上流側に設けられ、本実施形態では検査チップ２の左上部に設けられる。反応停止液注入部３１０は、上方に開口して下方に延びる凹部であり、且つ後述の反応停止液９１が貯留される部位である。供給部３２０は、反応停止液注入部３１０の右上部分から下方に延びる流路である。供給部３２０の左下部は、基質溶液注入部３３０に繋がる。
【００４７】
基質溶液注入部３３０は、反応停止液注入部３１０よりも液体移動経路の下流側に設けられ、本実施形態では反応停止液注入部３１０の下側に設けられる。基質溶液注入部３３０は、上方に開口して下方に延びる凹部であり、且つ後述の基質溶液９２が貯留される部位である。供給部３４０は、基質溶液注入部３３０の右上部分から下方に延びる流路である。供給部３４０の左下部は、洗浄液注入部３５０に繋がる。
【００４８】
洗浄液注入部３５０は、基質溶液注入部３３０よりも液体移動経路の下流側に設けられ、本実施形態では基質溶液注入部３３０の下側に設けられる。洗浄液注入部３５０は、上方に開口して下方に延びる凹部であり、且つ後述の洗浄液９３が貯留される部位である。供給部３６０は、洗浄液注入部３５０の右上部分から下方に延びる流路である。供給部３６０の左下部は、標識抗体液注入部３７０に繋がる。
【００４９】
標識抗体液注入部３７０は、洗浄液注入部３５０よりも液体移動経路の下流側に設けられ、本実施形態では洗浄液注入部３５０の下側に設けられる。標識抗体液注入部３７０は、上方に開口して下方に延びる凹部であり、且つ後述の標識抗体液９４が貯留される部位である。供給部３８０は、標識抗体液注入部３７０の右上部分から下方に延びる流路である。供給部３８０の左下部は、検査液体注入部３９０に繋がる。標識抗体液注入部３７０を形成する面のうち、供給部３８０に向かって右上方に延びる面は、形成面３７１である。
【００５０】
検査液体注入部３９０は、標識抗体液注入部３７０よりも液体移動経路の下流側に設けられ、本実施形態では標識抗体液注入部３７０の下側に設けられる。検査液体注入部３９０は、上方に開口して下方に延びる凹部であり、且つ後述の検査液体９５が貯留される部位である。供給部４００は、検査液体注入部３９０の右上部分から下方に延びる流路である。供給部４００の左下部は、液受部４１０に繋がる。検査液体注入部３９０を形成する面のうち、供給部４００に向かって右上方に延びる面は、形成面３９１である。供給部４００を形成する面のうち、液受部４１０に向かって左下方に延びる面は、第一案内面４０１である。
【００５１】
液受部４１０は、検査液体注入部３９０よりも液体移動経路の下流側に設けられ、本実施形態では検査液体注入部３９０の下側に設けられる。液受部４１０は、上方に開口して右下方に延びる凹部であり、且つ各種液体が流入する部位である。液受部４１０と、液受部４１０の右側に設けられた供給部４２０との間に、液受部４１０と供給部４２０とを隔てる壁部である隔壁４９０が設けられる。接続部５００は、隔壁４９０に設けられる。接続部５００は、液受部４１０から右上方に延びる複数の供給流路５１０，５２０，５３０，５４０を含む。供給流路５２０，５４０は、夫々、第一面２０３（図２参照）から後方に向けて凹み、且つ液受部４１０から供給部４２０まで延びる凹部である。供給流路５１０，５３０は、夫々、第二面２０４（図３参照）から前方に向けて凹み、且つ液受部４１０から供給部４２０まで延びる凹部である。
【００５２】
供給部４２０は、接続部５００の右上部分から下方に延びる流路である。供給部４２０の下部は、ビーズ保持部６００に繋がる。供給部４２０のうちビーズ保持部６００の近傍を、第一流路６０１という。余剰部４３０は、液受部４１０を挟んで接続部５００とは反対側に設けられ、本実施形態では液受部４１０の左側に設けられる。余剰部４３０は、上方に開口して下方に延びる凹部であり、且つ液受部４１０から溢れた余剰の液体が貯留される部位である。液受部４１０の左上部から余剰部４３０に向かって左下方に延びる面は、第二案内面４３１である。
【００５３】
ビーズ保持部６００は、液受部４１０よりも液体移動経路の下流側に設けられ、本実施形態では液受部４１０の右側に設けられる。ビーズ保持部６００は、第一面２０３から後方に向けて凹み、且つ上方に開口して下方に延びる凹部である。即ちビーズ保持部６００は、板材１９の第一面２０３側にのみ設けられている（図２参照）。ビーズ保持部６００は、複数の磁性ビーズ９６を保持する部位である。供給部４４０は、ビーズ保持部６００の右上部から下方向に延びる流路である。供給部４４０のうちビーズ保持部６００の近傍を、第二流路６０２という。供給部４４０の左下部は、測定部４５０に繋がる。
【００５４】
磁性ビーズ９６は、抗原抗体反応のための抗体を保持した担体である。本実施形態の磁性ビーズ９６は、その表面に抗体が固相化された球状である。ビーズ保持部６００の後側には、円柱形状の磁石６９０が設けられる（図３参照）。磁石６９０は、第二面２０４に形成された凹部に嵌め込まれた状態で、シート２９２によって封止される。即ち、ビーズ保持部６００及び磁石６９０は、板材１９を挟んで前後方向に並ぶ。
【００５５】
測定部４５０は、ビーズ保持部６００よりも液体移動経路の下流側に設けられ、本実施形態ではビーズ保持部６００の下側に設けられる。測定部４５０は、第一面２０３から後方に向けて凹み、且つ上方に開口して下方に延びる凹部である。即ち測定部４５０は、板材１９の第一面２０３側にのみ設けられている（図２参照）。後述する光学測定が行われる際には、測定部４５０に測定光が透過される。
【００５６】
廃液部４６０は、測定部４５０よりも液体移動経路の下流側に設けられる。本実施形態では、測定部４５０の右上部は、廃液部４６０に繋がる。廃液部４６０は、上方に開口する凹部であり、且つ測定部４５０から液体が廃液される部位である。測定部４５０を形成する面のうち、廃液部４６０に向けて右上方に延びる面は、廃液案内面４５１である。
【００５７】
検査チップ２に封入された液体を説明する。図２及び図３に示すように、本実施形態の検査チップ２には、反応停止液９１、基質溶液９２、洗浄液９３、標識抗体液９４、及び検査液体９５が封入される。
【００５８】
検査液体９５は、例えば、血液、血漿、血球、骨髄、尿、膣組織、上皮組織、腫瘍、精液、唾液、又は食料品などの成分を含む液体である。標識抗体液９４は、酵素標識抗体を含む液体である。酵素標識抗体は、検査対象の物質と磁性ビーズ９６の抗体との結合体に特異的に結合する、酵素で標識された抗体である。検査液体９５が、磁性ビーズ９６に接触すると、磁性ビーズ９６の表面に固相化された抗体に、検査液体９５に含まれる検査対象の物質が結合する。次いで、標識抗体液９４が磁性ビーズ９６に接触すると、検査対象の物質と磁性ビーズ９６の抗体との結合体に酵素標識抗体が特異的に結合する。
【００５９】
洗浄液９３は、磁性ビーズ９６を洗浄する液体であり、磁性ビーズ９６の抗体と結合していない検査液体９５の成分等を除去する。基質溶液９２は、洗浄液９３によって洗浄された後の磁性ビーズ９６に接触し、酵素標識抗体と酵素反応する液体である。反応停止液９１は、基質溶液９２と混合される液体であり、酵素反応が進行するのを停止する液体である。本実施形態では、基質溶液９２が酵素反応することによって生じる蛍光物質又は呈色物質を検出して、検査対象の物質を測定することができる。
【００６０】
図４から図７を参照し、ビーズ保持部６００の詳細構造を説明する。ビーズ保持部６００は、第一壁部６０３Ａ（図６、図７参照）、第三壁部６０３Ｂ、第四壁部６０３Ｃ、隔離部６３１（図４、図５参照）、及び板材１９の第一面２０３を封印するシート２９１（図６参照）の後面によって囲まれた部分に形成される。第一壁部６０３Ａ、第三壁部６０３Ｂ、第四壁部６０３Ｃ、及びシート２９１の後面は、夫々、ビーズ保持部６００の後側、左下側、右下側、及び前側の内壁面に対応する。第一壁部６０３Ａ、第三壁部６０３Ｂ、及び第四壁部６０３Ｃの夫々の形状は、平面状である。
【００６１】
図６に示すように、第一壁部６０３Ａは、シート２９１に対向して配置される。第一壁部６０３Ａは、シート２９１に対して後側に離隔する。第三壁部６０３Ｂ、第四壁部６０３Ｃは、第一壁部６０３Ａとシート２９１との間に介在する。図４、図５に示すように、第三壁部６０３Ｂの下端部と第四壁部６０３Ｃの下端部とは連結する。第三壁部６０３Ｂと第四壁部６０３Ｃとの連結部分は湾曲する。第三壁部６０３Ｂは、下端から上端に向けて、左斜め上方向に延びる。第四壁部６０３Ｃは、下端から上端に向けて、右斜め上方向に延びる。
【００６２】
第三壁部６０３Ｂ及び第四壁部６０３Ｃの夫々の上端は、ビーズ保持部６００の上側に開口６１０を形成する。壁部６３０は、第一流路６０１と第二流路６０２とを隔てる。隔離部６３１は、壁部６３０の下端部に対応する。隔離部６３１は開口６１０と交差し、開口６１０を左右に区分する。開口６１０の左側の部分である第一開口６１１は、第一流路６０１に接続する。第一開口６１１は、第三壁部６０３Ｂの上端と隔離部６３１との間に形成される。開口６１０の右側の部分である第二開口６１２は、第二流路６０２に接続する。第二開口６１２は、第四壁部６０３Ｃの上端と隔離部６３１との間に形成される。隔離部６３１は、第一開口６１１と第二開口６１２とを左右方向に隔離する。
【００６３】
隔離部６３１は、第三壁部６０３Ｂと第四壁部６０３Ｃとの夫々の上端の間の中点、言い換えれば、開口６１０の左右方向の中心よりも右側で、開口６１０と交差する。図４に示すように、第一開口６１１の左右方向の長さをＬ１と表記し、第二開口６１２の左右方向の長さをＬ２と表記する。この場合、Ｌ１はＬ２の略１．５倍となる。以下、上下方向と直交する平面を、「第一仮想平面」という。第一仮想平面で第一開口６１１を切断した場合の断面積を、「第一断面積」という。第一仮想平面で第二開口６１２を切断した場合の断面積を、「第二断面積」という。この場合、第一断面積は、第二断面積よりも大きくなる。
【００６４】
以下、前後方向と直交する平面を、「第二仮想平面」という。図５に示すように、第三壁部６０３Ｂに沿って第二仮想平面と平行に延びる直線を、「直線６２３」という。第四壁部６０３Ｃに沿って第二仮想平面と平行に延びる直線を、「直線６２４」という。直線６２３、６２４の交点を、「交点Ｐ」という。直線６２３に沿って交点Ｐから第一開口６１１に向かう方向を、「方向６２３Ａ」といい、方向６２３Ａと反対方向を、「方向６２３Ｂ」という。直線６２４に沿って交点Ｐから第二開口６１２に向かう方向を、「方向６２４Ａ」という。交点Ｐから隔離部６３１に向かう方向を、「方向６３１Ａ」といい、方向６３１Ａと反対方向を、「方向６３１Ｂ」という。
【００６５】
第一壁部６０３Ａには、７つの溝６７０が形成される。７つの溝６７０は、夫々、第一壁部６０３Ａから後方に凹んだ凹部である（図６、図７参照）。図４に示すように、７つの溝６７０は互いに平行に配列される。７つの溝６７０は、所定方向６０４に等間隔で並ぶ。所定方向６０４は、左右方向に対して僅かに傾斜する。以下、所定方向６０４のうち、ビーズ保持部６００に対して第一流路６０１が配置される左側を、第一流路側という。所定方向６０４のうち、ビーズ保持部６００に対して第二流路６０２が配置される右側を、第二流路側という。この場合、所定方向６０４は、第一流路側から第二流路側に向けて、右斜め上方向に傾斜する。左右方向に対して所定方向６０４のなす角度θａは、例えば、１０度である。
【００６６】
図７に示すように、各溝６７０を第一仮想平面で切断したときの断面形状は、三角形である。各溝６７０は、平面状の第一溝壁部６７１及び第二溝壁部６７２によって形成される。第一溝壁部６７１は、各溝６７０のうち所定方向６０４の第一流路側（左側）を形成する。第二溝壁部６７２は、各溝６７０のうち所定方向の第二流路側（右側）を形成する。第一溝壁部６７１及び第二溝壁部６７２は、夫々の後端で交差する。第一溝壁部６７１及び第二溝壁部６７２の交点は、各溝６７０の底部に対応する。
【００６７】
第一溝壁部６７１は、底部から左斜め前方向に向けて延びる。底部から第一溝壁部６７１に沿って底部と反対方向に向けて延びる方向を、「方向６７１Ａ」という。所定方向６０４と方向６７１Ａとのなす角度を、「第一角度」といい、θ１と表記する。第二溝壁部６７２は、底部から前方に向けて延びる。底部から第二溝壁部６７２に沿って底部と反対方向に向けて延びる方向を、「方向６７２Ａ」という。所定方向６０４と方向６７２Ａとのなす角度を、「第二角度」といい、θ２と表記する。この場合、θ１は４５度である。θ２は略９０度であり、詳細には８７度である。第二角度は、第一角度よりも大きくなる。第一溝壁部６７１と第二溝壁部６７２との間の左右方向の距離は、前方から後方に向かう程、言い換えれば、第一壁部６０３Ａから底部に向かう程、小さくなる。
【００６８】
図４に示すように、７つの溝６７０のうち所定方向６０４の第一流路側（左側）の５つの溝６７０は、第一開口６１１と交差する。第一開口６１１と交差する５つの溝６７０を、「第一溝６７０Ａ」という。７つの溝６７０のうち所定方向６０４の第二流路側（右側）の２つの溝６７０は、第二開口６１２と交差する。第二開口６１２と交差する２つの溝６７０を、「第二溝６７０Ｂ」という。なお、上記のように、第一開口６１１の左右方向の長さＬ１は、第二開口６１２の左右方向の長さＬ２よりも大きい。又、７つの溝６７０は等間隔で並んでいる。このため、第一溝６７０Ａの数「５」は、第二溝６７０Ｂの数「２」よりも多くなる。
【００６９】
図５に示すように、第一溝６７０Ａ（図４参照）に沿って第一開口６１１に向けて延びる方向を、「第一溝方向６２１Ａ」といい、第一溝方向６２１Ａと反対方向を、第一溝方向６２１Ｂという。第二溝６７０Ｂ（図４参照）に沿って第二開口６１２に向けて延びる方向を、「第二溝方向６２２」という。第一溝方向６２１Ａ、６２１Ｂ、及び第二溝方向６２２は平行である。第一溝方向６２１Ａ、６２１Ｂ、及び第二溝方向６２２は、所定方向６０４（図４参照）と直交する。この場合、交点Ｐから隔離部６３１に向けて延びる方向６３１Ａは、第一溝方向６２１Ａに対して右側を向く。なお、ビーズ保持部６００の右側は、ビーズ保持部６００に対して第二開口６１２が設けられる側を示す。又、第二開口６１２は第二流路６０２に接続する。このため、方向６３１Ａは、第一溝方向６２１Ａに対して第二流路６０２側を向くことになる。又、交点Ｐから第三壁部６０３Ｂに沿って第一開口６１１に向けて延びる方向６２３Ａは、第一溝方向６２１Ａに対して左側を向く。なお、ビーズ保持部６００の左側は、ビーズ保持部６００に対して第一開口６１１が設けられる側を示す。又、第一開口６１１は第一流路６０１に接続する。このため、方向６２３Ａは、第一溝方向６２１Ａに対して第一流路６０１側を向くことになる。又、第一溝方向６２１Ａと反対の第一溝方向６２１Ｂは、方向６２３Ａと反対の方向６２３Ｂよりも左側、且つ、方向６３１Ａと反対の方向６３１Ｂよりも右側の方向となる。更に、第二溝方向６２２は、交点Ｐから第四壁部６０３Ｃに沿って第二開口６１２に向けて延びる方向６２４Ａに対して左側を向く。第二溝方向６２２と方向６２４Ａとは交差する。
【００７０】
図６に示すように、板材１９を挟んで第一壁部６０３Ａの後側に、磁石６９０が配置される。磁石６９０の磁力が作用する領域を、「作用領域６９１」という。第一壁部６０３Ａのうち複数の溝６７０が設けられた部分は、作用領域６９１に含まれる。作用領域６９１内に配置された複数の磁性ビーズ９６（図７参照）には、磁石６９０によって後側に向かう方向の磁力が作用する。なお、各磁性ビーズ９６に対して作用する磁力の方向は、各溝６７０の深さ方向に沿って底部に向かう方向と一致する。このため、図７に示すように、複数の磁性ビーズ９６は、磁力に応じて複数の溝６７０に入り込み、夫々の底部に向けて移動する。複数の磁性ビーズ９６は、各溝６７０の底部近傍で保持される。
【００７１】
＜５．検査チップ２のその他構造＞
図１に示すように、Ｌ型プレート６０から延びる支軸４６は、ホルダ５２を介して板材１９の後面中央に垂直に連結される。支軸４６の回転に伴って、検査チップ２が支軸４６を中心に自転する。検査チップ２は図２に示す定常状態である場合、上辺部８１及び下辺部８４が重力Ｇの方向と直交し、右辺部８２及び左辺部８３が重力Ｇの方向と平行、且つ、左辺部８３が右辺部８２よりも主軸５７側に配置される。定常状態の検査チップ２が測定位置に配置されている状態において、光源７１と光センサ７２とを結ぶ測定光を測定部４５０に通過させることで、検査装置１は光学測定による検査を行う。
【００７２】
＜６．検査方法の一例＞
検査装置１及び検査チップ２を用いた検査方法を説明する。図２及び図３に示すように、反応停止液注入部３１０に、反応停止液９１が注入される。基質溶液注入部３３０に、基質溶液９２が注入される。洗浄液注入部３５０に、洗浄液９３が注入される。標識抗体液注入部３７０に、標識抗体液９４が注入される。検査液体注入部３９０に、検査液体９５が注入される。
【００７３】
液体は、各種手法によって検査チップ２内に配置可能である。例えば、シート２９１，２９２の何れかに、反応停止液注入部３１０、基質溶液注入部３３０、洗浄液注入部３５０、標識抗体液注入部３７０、及び検査液体注入部３９０の夫々に液体を注入可能な複数の穴が設けられてもよい。この場合、ユーザが複数の穴から各液体を注入した後、これらの穴をシールで封止すればよい。
【００７４】
シート２９２が第二面２０４に貼られた状態で、各液体が反応停止液注入部３１０、基質溶液注入部３３０、洗浄液注入部３５０、及び標識抗体液注入部３７０に各々配置された後に、シート２９１が第一面２０３に貼られてもよい。逆に、シート２９１が第一面２０３に貼られた状態で、各液体が反応停止液注入部３１０、基質溶液注入部３３０、洗浄液注入部３５０、及び標識抗体液注入部３７０に各々配置された後に、シート２９２が第二面２０４に貼られてもよい。
【００７５】
この場合、シート２９１，２９２の何れかに、検査液体注入部３９０に液体を注入可能な穴が設けられてもよい。ユーザは、この穴から検査液体９５を注入した後、この穴をシールで封止すればよい。また、板材１９における検査液体注入部３９０の左側部分に、検査液体注入部３９０に液体を注入可能な穴が設けられてもよい。ユーザは、この穴から検査液体９５を注入した後、この穴をシールで封止すればよい。
【００７６】
ユーザは検査チップ２をホルダ５２に取り付けて、操作部１０４から処理開始のコマンドを入力する。これによって、ＣＰＵ１０１は、ＲＯＭ１０３に記憶されている制御プログラムに基づいて、図８に示す遠心処理を実行する。ＣＰＵ１０１は遠心処理において、公転コントローラ９７を介して主軸モータ３５を駆動制御することで、検査チップ２の公転開始、公転速度制御、及び公転停止を行う各動作を実行する。本実施形態では、ＣＰＵ１０１は垂直軸線Ａ１を中心として、検査チップ２を平面視で時計回り方向に公転させる（図１参照）。このとき検査チップ２が移動する公転方向は、検査チップ２の前側である。
【００７７】
ＣＰＵ１０１は遠心処理において、自転コントローラ９８を介してステッピングモータ５１を駆動制御することで、検査チップ２の自転角度を変更する各動作を実行する。以下の説明では、図２及び図３に示す定常状態の検査チップ２の自転角度を、０度とする。正面視で水平軸線Ａ２を中心として、定常状態からｍ度反時計回りに回転した検査チップ２の自転角度を、ｍ度とする。例えば、定常状態から９０度反時計回りに回転した検査チップ２の自転角度は、９０度である。
【００７８】
図８に示すように、ＣＰＵ１０１は、ＨＤＤ１０５に予め記憶されているモータの駆動情報を読み込み、公転コントローラ９７に主軸モータ３５の駆動情報をセットし、自転コントローラ９８にステッピングモータ５１の駆動情報をセットする（Ｓ１）。このとき、図２及び図３に示すように、検査チップ２は定常状態であるため、自転角度０度である。次いで、ＣＰＵ１０１は、自転角度０度の検査チップ２の公転を開始する（Ｓ２）。ＣＰＵ１０１は、公転する検査チップ２の移動速度である公転速度を、速度Ｖまで上げる。速度Ｖは、例えば３０００ｒｐｍである。数百Ｇほどの遠心力Ｘが、検査チップ２に作用する。
【００７９】
ＣＰＵ１０１は速度Ｖで公転を実行する（Ｓ３）。図９の状態Ｆ１に示すように、左辺部８３から右辺部８２に向けて、検査チップ２に遠心力Ｘが作用する。以下、左辺部８３から右辺部８２に向かう方向を、第一遠心方向ともいう。第一遠心方向の遠心力Ｘによって、各液体が以下のように移動する。反応停止液９１は、反応停止液注入部３１０から供給部３２０に移動する。基質溶液９２は、基質溶液注入部３３０から供給部３４０に移動する。洗浄液９３は、洗浄液注入部３５０から供給部３６０に移動する。標識抗体液９４は、標識抗体液注入部３７０から供給部３８０に移動する。検査液体９５は、検査液体注入部３９０から供給部４００に移動する。
【００８０】
尚、複数の磁性ビーズ９６は、遠心力Ｘの作用に関わらず、磁石６９０（図３参照）の磁力によってビーズ保持部６００に保持される。以下の説明では、公転速度は速度Ｖで一定であるが、遠心処理の途中で速度Ｖの大きさが変更されてもよい。
【００８１】
次いで、図９の状態Ｆ２に示すように、ＣＰＵ１０１は自転角度を０度から９０度に変更する（Ｓ４）。この結果、上辺部８１（図２参照）から下辺部８４（図２参照）に向けて、検査チップ２に遠心力Ｘが作用する。以下、上辺部８１から下辺部８４に向かう方向を、第二遠心方向ともいう。第二遠心方向の遠心力Ｘによって、各液体が以下のように移動する。反応停止液９１は、供給部３２０から基質溶液注入部３３０に移動する。基質溶液９２は、供給部３４０から洗浄液注入部３５０に移動する。洗浄液９３は、供給部３６０から標識抗体液注入部３７０に移動する。標識抗体液９４は、供給部３８０から検査液体注入部３９０に移動する。検査液体９５は、供給部４００から液受部４１０に移動する。
【００８２】
次いで、図９の状態Ｆ３に示すように、ＣＰＵ１０１は自転角度を９０度から０度に変更する（Ｓ５）。この結果、第一遠心方向の遠心力Ｘによって、各液体が以下のように移動する。反応停止液９１は、基質溶液注入部３３０から供給部３４０に移動する。基質溶液９２は、洗浄液注入部３５０から供給部３６０に移動する。洗浄液９３は、標識抗体液注入部３７０から供給部３８０に移動する。標識抗体液９４は、検査液体注入部３９０から供給部４００に移動する。検査液体９５は、接続部５００を介して液受部４１０から供給部４２０に移動する。
【００８３】
次いで、図９の状態Ｆ４に示すように、ＣＰＵ１０１は自転角度を０度から９０度に変更する（Ｓ６）。この結果、第二遠心方向の遠心力Ｘによって、各液体が以下のように移動する。反応停止液９１は、供給部３４０から洗浄液注入部３５０に移動する。基質溶液９２は、供給部３６０から標識抗体液注入部３７０に移動する。洗浄液９３は、供給部３８０から検査液体注入部３９０に移動する。標識抗体液９４は、供給部４００から液受部４１０に移動する。検査液体９５は、供給部４２０から第一流路６０１を通ってビーズ保持部６００に移動し、複数の磁性ビーズ９６に接触する。各磁性ビーズ９６に固相化された抗体に、検査液体９５に含まれる検査対象の物質が結合する。
【００８４】
図５に示すように、検査液体９５は、第一流路６０１を通って第一開口６１１からビーズ保持部６００に流入する。流入した検査液体９５は、ビーズ保持部６００の第一開口６１１近傍において、第一開口６１１から交点Ｐに向けて移動する場合がある。より詳細には、検査液体９５は、第三壁部６０３Ｂに沿って延びる方向６２３Ｂと、隔離部６３１から交点Ｐに向かう方向６３１Ｂとの間の何れかの方向に移動する場合がある。ここで、第一開口６１１と交差する各第一溝６７０Ａの延びる第一溝方向６２１Ｂは、方向６２３Ｂ、６３１Ｂの間の方向を示す。このため、ビーズ保持部６００に流入する検査液体９５は、各第一溝６７０Ａに沿って移動し易い。
【００８５】
図１４に示すように、各第一溝６７０Ａの第一溝壁部６７１の第一角度は、第二溝壁部６７２の第二角度よりも小さい。このため、各第一溝６７０Ａに沿って検査液体９５が移動した場合、各磁性ビーズ９６は、検査液体９５の移動する勢いで、磁石６９０（図６参照）の磁力に逆らって流動し、各第一溝６７０Ａから僅かに外部に移動する場合がある。この場合、各磁性ビーズ９６が各第一溝６７０Ａに保持された状態と比べて、検査液体９５に含まれる検査対象の物質は、各磁性ビーズ９６に固相化された抗体に結合し易くなる。
【００８６】
なお、ビーズ保持部６００に対する検査液体９５の流入が停止した場合、各磁性ビーズ９６は、磁石６９０の磁力に応じて各第一溝６７０Ａに入り込み、夫々の底部に向けて移動する。各磁性ビーズ９６は、各第一溝６７０Ａの底部近傍で保持される（図７参照）。
【００８７】
次いで、図１０の状態Ｆ５に示すように、ＣＰＵ１０１は自転角度を９０度から０度に変更する（Ｓ７）。この結果、第一遠心方向の遠心力Ｘによって、各液体が以下のように移動する。反応停止液９１は、洗浄液注入部３５０から供給部３６０に移動する。基質溶液９２は、標識抗体液注入部３７０から供給部３８０に移動する。洗浄液９３は、検査液体注入部３９０から供給部４００に移動する。標識抗体液９４は、接続部５００を介して液受部４１０から供給部４２０に移動する。検査液体９５は、ビーズ保持部６００から第二流路６０２を通って供給部４４０に移動する。
【００８８】
図５に示すように、検査液体９５は、ビーズ保持部６００の第二開口６１２から第二流路６０２に向けて流出する。このとき、ビーズ保持部６００の第二開口６１２近傍において、検査液体９５は、第四壁部６０３Ｃに沿って第二開口６１２に向かう方向６２４Ａと略平行に移動する場合がある。ここで、第二開口６１２と交差する各第二溝６７０Ｂの延びる第二溝方向６２２は、方向６２４Ａと交差する。このため、ビーズ保持部６００から流出する検査液体９５は、各第二溝６７０Ｂと交差する方向に移動する。従って、各第二溝６７０Ｂの底部近傍で保持された状態の各磁性ビーズ９６は、検査液体９５がビーズ保持部６００から流出する勢いで移動した場合、各第二溝６７０Ｂの第二溝壁部６７２に引っ掛かる。なお、各第二溝６７０Ｂの第二溝壁部６７２の第二角度は、第一溝壁部６７１の第一角度よりも大きいので、各磁性ビーズ９６は、第二溝壁部６７２に引っ掛かり易い。従って、各磁性ビーズ９６は第二溝壁部６７２に当接するので、ビーズ保持部６００から外部に流出し難い。
【００８９】
次いで、図１０の状態Ｆ６に示すように、ＣＰＵ１０１は自転角度を０度から９０度に変更する（Ｓ８）。この結果、第二遠心方向の遠心力Ｘによって、各液体が以下のように移動する。反応停止液９１は、供給部３６０から標識抗体液注入部３７０に移動する。基質溶液９２は、供給部３８０から検査液体注入部３９０に移動する。洗浄液９３は、供給部４００から液受部４１０に移動する。標識抗体液９４は、供給部４２０からビーズ保持部６００に移動して、複数の磁性ビーズ９６に接触する。各磁性ビーズ９６の抗体と検査対象の物質との結合体に、標識抗体液９４に含まれる酵素標識抗体が特異的に結合する。なお、標識抗体液９４は各第一溝６７０Ａに沿って移動するので、各第一溝６７０Ａの複数の磁性ビーズ９６は、標識抗体液９４の移動する勢いで流動し、各第一溝６７０Ａから僅かに外部に移動する（図１４参照）。このため、標識抗体液９４に含まれる酵素標識抗体は、各磁性ビーズ９６の抗体と検査対象の物質との結合体に結合し易くなる。検査液体９５は、供給部４４０から測定部４５０に移動する。
【００９０】
液受部４１０に洗浄液９３が移動するに伴って、余剰の洗浄液９３が定量端部４１３から溢れる。溢れた洗浄液９３は、余剰部４３０に移動して貯留される。余剰部４３０では、以降の処理で作用する遠心力Ｘに関わらず、余剰の洗浄液９３が保持される。
【００９１】
次いで、ＣＰＵ１０１は複数の供給流路５１０，５２０，５３０，５４０の何れかを介して、洗浄液９３を液受部４１０からビーズ保持部６００に複数回供給し、複数の磁性ビーズ９６を多段階に洗浄する。ＣＰＵ１０１は、第一動作と第二動作とを繰り返し実行することで、洗浄液９３を多段階に液受部４１０からビーズ保持部６００に供給する。第一動作は、下方向とは異なる方向の遠心力Ｘを、検査チップ２に作用させる動作である。第二動作は、下方向の遠心力Ｘを、検査チップ２に作用させる動作である。
【００９２】
ＣＰＵ１０１は、ｎ回目の第一動作を行う場合、遠心力Ｘの方向と下方向とのなす角度が第一角度以上、且つ第二角度未満となる方向に、遠心力Ｘを作用させる。第一角度は、ｎ番目の供給流路が延びる方向に垂直な方向と、下方向とがなす角度である。第二角度は、（ｎ＋１）番目の供給流路が延びる方向に垂直な方向と、下方向とがなす角度である。本実施形態では、ＣＰＵ１０１はｎ回目の第一動作において、遠心力Ｘの方向と下方向とが第一角度をなす方向に、検査チップ２に遠心力Ｘを作用させる。
【００９３】
図１０の状態Ｆ７に示すように、ＣＰＵ１０１は自転角度を９０度から４５度に変更することで、一回目の第一動作を行う（Ｓ９）。これにより、一番目の供給流路（供給流路５１０）が延びる方向と垂直な方向に、遠心力Ｘが作用する。この遠心力Ｘの作用によって、液受部４１０にある洗浄液９３の一部は供給流路５１０内に流入し、供給部４２０に流出する。以下の説明では、供給流路５１０を介して供給部４２０に移動した洗浄液９３を、洗浄液９３１という。
【００９４】
なお、Ｓ９において、反応停止液９１、基質溶液９２、及び検査液体９５は、標識抗体液注入部３７０、検査液体注入部３９０、及び測定部４５０に夫々保持される。標識抗体液９４は、遠心力Ｘの作用によって、ビーズ保持部６００から供給部４４０に移動する。標識抗体液９４は、ビーズ保持部６００から流出するとき、各第二溝６７０Ｂと交差する方向に移動する。各第二溝６７０Ｂで保持された状態の各磁性ビーズ９６は、標識抗体液９４が移動する勢いで第二開口６１２に向けて移動した場合、各第二溝６７０Ｂの第二溝壁部６７２に引っ掛かる。各磁性ビーズ９６は第二溝壁部６７２に当接するので、ビーズ保持部６００から外部に流出し難い。
【００９５】
次いで、図１０の状態Ｆ８に示すように、ＣＰＵ１０１は自転角度を４５度から９０度に変更することで、一回目の第二動作を行う（Ｓ１０）。この結果、第二遠心方向の遠心力Ｘによって、各液体が以下のように移動する。洗浄液９３１は、供給部４２０からビーズ保持部６００に移動する。洗浄液９３１によって、複数の磁性ビーズ９６に対する一回目の洗浄が行われる。なお、洗浄液９３１は各第一溝６７０Ａに沿って移動するので、各第一溝６７０Ａの各磁性ビーズ９６は、洗浄液９３１の移動する勢いで流動し、各第一溝６７０Ａから僅かに外部に移動する（図１４参照）。このため、各磁性ビーズ９６は、洗浄液９３１によって良好に洗浄される。なお、洗浄液９３１の流入が終了した場合、各第一溝６７０Ａから僅かに外部に移動した各磁性ビーズ９６に対して、後側に向かう方向の磁力が作用する。このため、複数の磁性ビーズ９６は、磁力に応じて各第一溝６７０Ａに入り込み、第一溝６７０Ａの底部近傍で保持される（図７参照）。標識抗体液９４は、供給部４４０から測定部４５０に移動する。尚、反応停止液９１、基質溶液９２、洗浄液９３、及び検査液体９５は、標識抗体液注入部３７０、検査液体注入部３９０、液受部４１０、及び測定部４５０に夫々保持される。測定部４５０では、流入した標識抗体液９４が検査液体９５に混合して、混合液９５１が生成される。
【００９６】
次いで、図１１の状態Ｆ９に示すように、ＣＰＵ１０１は自転角度を９０度から３０度に変更することで、二回目の第一動作を行う（Ｓ１１）。これにより、二番目の供給流路（供給流路５２０）が延びる方向と垂直な方向に、遠心力Ｘが作用する。この遠心力Ｘの作用によって、液受部４１０にある洗浄液９３の一部は供給流路５２０内に流入し、供給部４２０に流出する。以下の説明では、供給流路５２０を介して供給部４２０に移動した洗浄液９３を、洗浄液９３２という。
【００９７】
なお、Ｓ１１において、反応停止液９１、基質溶液９２、及び混合液９５１は、標識抗体液注入部３７０、検査液体注入部３９０、及び測定部４５０に夫々保持される。洗浄液９３１は、遠心力Ｘの作用によって、ビーズ保持部６００から供給部４４０に移動する。洗浄液９３１は、ビーズ保持部６００から流出するとき、各第二溝６７０Ｂと交差する方向に移動する。各第二溝６７０Ｂで保持された状態の各磁性ビーズ９６は、洗浄液９３１が移動する勢いで第二開口６１２に向けて移動した場合、各第二溝６７０Ｂの第二溝壁部６７２に引っ掛かる。各磁性ビーズ９６は第二溝壁部６７２に当接するので、ビーズ保持部６００から外部に流出し難い。
【００９８】
次いで、図１０の状態Ｆ１０に示すように、ＣＰＵ１０１は自転角度を３０度から９０度に変更することで、二回目の第二動作を行う（Ｓ１２）。この結果、第二遠心方向の遠心力Ｘによって、各液体が以下のように移動する。洗浄液９３２は、供給部４２０からビーズ保持部６００に移動する。洗浄液９３２によって、複数の磁性ビーズ９６に対する二回目の洗浄が行われる。なお、洗浄液９３２は各第一溝６７０Ａに沿って移動するので、各第一溝６７０Ａの各磁性ビーズ９６は、洗浄液９３２の移動する勢いで流動し、各第一溝６７０Ａから僅かに外部に移動する（図１４参照）。このため、各磁性ビーズ９６は、洗浄液９３２によって良好に洗浄される。なお、洗浄液９３２の流入が終了した場合、各第一溝６７０Ａから僅かに外部に移動した各磁性ビーズ９６は、磁力に応じて各第一溝６７０Ａに入り込み、第一溝６７０Ａの底部近傍で保持される（図７参照）。洗浄液９３１は、供給部４４０から測定部４５０に移動する。尚、反応停止液９１、基質溶液９２、洗浄液９３、及び混合液９５１は、標識抗体液注入部３７０、検査液体注入部３９０、液受部４１０、及び測定部４５０に夫々保持される。測定部４５０では、流入した洗浄液９３１が混合液９５１に混合して、混合液９５２が生成される。
【００９９】
次いで、図１１の状態Ｆ１１に示すように、ＣＰＵ１０１は自転角度を９０度から２０度に変更することで、三回目の第一動作を行う（Ｓ１３）。これにより、三番目の供給流路（供給流路５３０）が延びる方向と垂直な方向に、遠心力Ｘが作用する。この遠心力Ｘの作用によって、液受部４１０にある洗浄液９３の一部は供給流路５３０内に流入し、供給部４２０に流出する。以下の説明では、供給流路５３０を介して供給部４２０に移動した洗浄液９３を、洗浄液９３３という。
【０１００】
なお、Ｓ１３において、混合液９５２の一部は、遠心力Ｘの作用によって測定部４５０から廃液部４６０に移動する。反応停止液９１及び基質溶液９２、及び混合液９５２の残りは、標識抗体液注入部３７０、検査液体注入部３９０、及び測定部４５０に夫々保持される。洗浄液９３２は、遠心力Ｘの作用によって、ビーズ保持部６００から供給部４４０に移動する。洗浄液９３２は、ビーズ保持部６００から流出するとき、各第二溝６７０Ｂと交差する方向に移動する。各第二溝６７０Ｂで保持された状態の各磁性ビーズ９６は、洗浄液９３２が移動する勢いで第二開口６１２に向けて移動した場合、各第二溝６７０Ｂの第二溝壁部６７２に引っ掛かる。各磁性ビーズ９６は第二溝壁部６７２に当接するので、ビーズ保持部６００から外部に流出し難い。尚、廃液部４６０では、以降の処理で作用する遠心力Ｘに関わらず、廃液部４６０に流入した液体が保持される。
【０１０１】
次いで、図１１の状態Ｆ１２に示すように、ＣＰＵ１０１は自転角度を２０度から９０度に変更することで、三回目の第二動作を行う（Ｓ１４）。この結果、第二遠心方向の遠心力Ｘによって、各液体が以下のように移動する。洗浄液９３３は、供給部４２０からビーズ保持部６００に移動する。洗浄液９３３によって、複数の磁性ビーズ９６に対する三回目の洗浄が行われる。なお、洗浄液９３３は各第一溝６７０Ａに沿って移動するので、各第一溝６７０Ａの各磁性ビーズ９６は、洗浄液９３３の移動する勢いで流動し、各第一溝６７０Ａから僅かに外部に移動する（図１４参照）。このため、各磁性ビーズ９６は、洗浄液９３３によって良好に洗浄される。なお、洗浄液９３３の流入が終了した場合、各第一溝６７０Ａから僅かに外部に移動した各磁性ビーズ９６は、磁力に応じて各第一溝６７０Ａに入り込み、第一溝６７０Ａの底部近傍で保持される（図７参照）。洗浄液９３２は、供給部４４０から測定部４５０に移動する。尚、反応停止液９１、基質溶液９２、及び洗浄液９３は、標識抗体液注入部３７０、検査液体注入部３９０、及び液受部４１０に夫々保持される。混合液９５２は、測定部４５０及び廃液部４６０に保持される。測定部４５０では、流入した洗浄液９３２が混合液９５２に混合して、混合液９５３が生成される。
【０１０２】
次いで、図１２の状態Ｆ１３に示すように、ＣＰＵ１０１は自転角度を９０度から０度に変更することで、四回目の第一動作を行う（Ｓ１５）。これにより、四番目の供給流路（供給流路５４０）が延びる方向と鋭角をなす方向に、遠心力Ｘが作用する。この遠心力Ｘの作用によって、液受部４１０にある洗浄液９３は供給流路５４０内に流入し、供給部４２０に流出する。供給流路５４０を介して洗浄液９３が流出するのに伴って、液受部４１０にある洗浄液９３の液面が遠心力Ｘの方向に移動する。これにより、液受部４１０にある洗浄液９３の全てが、供給部４２０に移動する。以下の説明では、供給流路５４０を介して供給部４２０に移動した洗浄液９３を、洗浄液９３４という。
【０１０３】
なお、Ｓ１５では、左辺部８３から右辺部８２に向けて作用する遠心力Ｘによって、各液体が以下のように移動する。反応停止液９１は、標識抗体液注入部３７０から供給部３８０に移動する。基質溶液９２は、検査液体注入部３９０から供給部４００に移動する。洗浄液９３３は、ビーズ保持部６００から供給部４４０に移動する。洗浄液９３３は、ビーズ保持部６００から流出するとき、各第二溝６７０Ｂと交差する方向に移動する。各第二溝６７０Ｂで保持された状態の各磁性ビーズ９６は、洗浄液９３３が移動する勢いで第二開口６１２に向けて移動した場合、各第二溝６７０Ｂの第二溝壁部６７２に引っ掛かる。各磁性ビーズ９６は、第二溝壁部６７２に当接するので、ビーズ保持部６００から外部に流出し難い。混合液９５３は、測定部４５０から廃液部４６０に移動する。廃液部４６０では、流入した混合液９５３が混合液９５２に混合して、混合液９５４が生成される。
【０１０４】
次いで、図１２の状態Ｆ１４に示すように、ＣＰＵ１０１は自転角度を０度から９０度に変更することで、四回目の第二動作を行う（Ｓ１６）。この結果、第二遠心方向の遠心力Ｘによって、各液体が以下のように移動する。反応停止液９１は、供給部３８０から検査液体注入部３９０に移動する。基質溶液９２は、供給部４００から液受部４１０に移動する。洗浄液９３４は、供給部４２０からビーズ保持部６００に移動する。洗浄液９３４によって、複数の磁性ビーズ９６に対する四回目の洗浄が行われる。なお、洗浄液９３４は各第一溝６７０Ａに沿って移動するので、各第一溝６７０Ａの各磁性ビーズ９６は、洗浄液９３４の移動する勢いで流動し、各第一溝６７０Ａから僅かに外部に移動する（図１４参照）。このため、各磁性ビーズ９６は、洗浄液９３４によって良好に洗浄される。なお、洗浄液９３４の流入が終了した場合、各第一溝６７０Ａから僅かに外部に移動した各磁性ビーズ９６は、磁力に応じて各第一溝６７０Ａに入り込み、第一溝６７０Ａの底部近傍で保持される（図７参照）。洗浄液９３３は、供給部４４０から測定部４５０に移動する。
【０１０５】
次いで、図１２の状態Ｆ１５に示すように、ＣＰＵ１０１は自転角度を９０度から０度に変更する（Ｓ１７）。この結果、第一遠心方向の遠心力Ｘによって、各液体が以下のように移動する。反応停止液９１は、検査液体注入部３９０から供給部４００に移動する。基質溶液９２は、接続部５００を介して液受部４１０から供給部４２０に移動する。洗浄液９３４は、ビーズ保持部６００から供給部４４０に移動する。洗浄液９３４は、ビーズ保持部６００から流出するとき、各第二溝６７０Ｂと交差する方向に移動する。各第二溝６７０Ｂで保持された状態の各磁性ビーズ９６は、洗浄液９３４の移動する勢いで第二開口６１２に向けて移動した場合、各第二溝６７０Ｂの第二溝壁部６７２に引っ掛かる。各磁性ビーズ９６は、第二溝壁部６７２に当接するので、ビーズ保持部６００から外部に流出し難い。洗浄液９３３は、測定部４５０から廃液部４６０に移動する。廃液部４６０では、流入した洗浄液９３３が混合液９５４に混合して、混合液９５５が生成される。
【０１０６】
次いで、図１２の状態Ｆ１６に示すように、ＣＰＵ１０１は自転角度を０度から９０度に変更する（Ｓ１８）。この結果、第二遠心方向の遠心力Ｘによって、各液体が以下のように移動する。反応停止液９１は、供給部４００から液受部４１０に移動する。基質溶液９２は、供給部４２０からビーズ保持部６００に移動する。基質溶液９２は、洗浄液９３によって洗浄された複数の磁性ビーズ９６に接触し、酵素標識抗体と酵素反応する。なお、基質溶液９２は各第一溝６７０Ａに沿って移動するので、各第一溝６７０Ａの各磁性ビーズ９６は、基質溶液９２の移動する勢いで、各第一溝６７０Ａから僅かに外部に移動する（図１４参照）。このため、洗浄液９３によって洗浄された複数の磁性ビーズ９６は、基質溶液９２に良好に接触し、酵素標識抗体と酵素反応する。なお、基質溶液９２の流入が終了した場合、各第一溝６７０Ａから僅かに外部に移動した各磁性ビーズ９６は、磁力に応じて各第一溝６７０Ａに入り込み、第一溝６７０Ａの底部近傍で保持される（図７参照）。洗浄液９３４は、供給部４４０から測定部４５０に移動する。
【０１０７】
次いで、図１３の状態Ｆ１７に示すように、ＣＰＵ１０１は自転角度を９０度から０度に変更する（Ｓ１９）。この結果、第一遠心方向の遠心力Ｘによって、各液体が以下のように移動する。反応停止液９１は、接続部５００を介して液受部４１０から供給部４２０に移動する。基質溶液９２は、ビーズ保持部６００から供給部４４０に移動する。基質溶液９２は、ビーズ保持部６００から流出するとき、各第二溝６７０Ｂと交差する方向に移動する。各第二溝６７０Ｂで保持された状態の各磁性ビーズ９６は、基質溶液９２が移動する勢いで第二開口６１２に向けて移動した場合、各第二溝６７０Ｂの第二溝壁部６７２に引っ掛かる。各磁性ビーズ９６は第二溝壁部６７２に当接するので、ビーズ保持部６００から外部に流出し難い。洗浄液９３４は、測定部４５０から廃液部４６０に移動する。廃液部４６０では、流入した洗浄液９３４が混合液９５５に混合して、混合液９５６が生成される。
【０１０８】
次いで、図１３の状態Ｆ１８に示すように、ＣＰＵ１０１は自転角度を０度から９０度に変更する（Ｓ２０）。この結果、第二遠心方向の遠心力Ｘによって、各液体が以下のように移動する。反応停止液９１は、供給部４２０からビーズ保持部６００に移動する。なお、反応停止液９１は第一溝６７０Ａに沿って移動するので、各第一溝６７０Ａの各磁性ビーズ９６は、反応停止液９１の移動する勢いで、第一溝６７０Ａから僅かに外部に移動する（図１４参照）。このため、複数の磁性ビーズ９６における酵素反応は、反応停止液９１によって適切に停止される。基質溶液９２は、供給部４４０から測定部４５０に移動する。
【０１０９】
次いで、図１３の状態Ｆ１９に示すように、ＣＰＵ１０１は自転角度を９０度から４５度に変更する（Ｓ２１）。遠心力Ｘの作用によって、反応停止液９１はビーズ保持部６００から供給部４４０に移動する。反応停止液９１は、ビーズ保持部６００から流出するとき、各第二溝６７０Ｂと交差する方向に移動する。各第二溝６７０Ｂで保持された状態の複数の磁性ビーズ９６は、反応停止液９１の移動する勢いで第二開口６１２に向けて移動した場合、各第二溝６７０Ｂの第二溝壁部６７２に引っ掛かる。各磁性ビーズ９６は、第二溝壁部６７２に当接するので、ビーズ保持部６００から外部に流出し難い。基質溶液９２は測定部４５０に保持される。
【０１１０】
次いで、図１３の状態Ｆ２０に示すように、ＣＰＵ１０１は自転角度を４５度から９０度に変更する（Ｓ２２）。この結果、第二遠心方向の遠心力Ｘによって、反応停止液９１は供給部４４０から測定部４５０に移動する。基質溶液９２は、測定部４５０に保持される。測定部４５０では、流入した反応停止液９１が基質溶液９２に混合して、基質溶液９２の酵素反応の進行が停止する。以下の説明では、反応停止液９１が混合された基質溶液９２を、測定溶液９６０という。
【０１１１】
次いで、ＣＰＵ１０１は自転角度を９０度から０度に変更すると共に、検査チップ２の公転を終了する（Ｓ２３）。以上により、遠心処理は終了する。遠心処理の実行後、ＣＰＵ１０１は、検査チップ２を測定位置まで公転させる。図１に示すように、測定コントローラ９９は、光源７１を発光させることで、測定光を測定部４５０に貯溜された測定溶液９６０に透過させる。ＣＰＵ１０１は、光センサ７２が受光した測定光の変化量に基づいて、測定溶液９６０の光学測定を行い、測定データを取得する。ＣＰＵ１０１は、取得された測定データに基づいて測定溶液９６０の測定結果を算出し、その算出結果をディスプレイ１０６に表示させる。尚、測定溶液９６０の測定方法は、光学測定に限られず、他の方法でもよい。
【０１１２】
＜７．本実施形態の主たる作用、効果＞
以上説明したように、検査チップ２では、供給流路５１０，５２０，５３０，５４０、及び第一流路６０１を介して、液受部４１０からビーズ保持部６００に試薬が流入される。本実施形態において、試薬は、反応停止液９１、基質溶液９２、洗浄液９３、標識抗体液９４、及び検査液体９５である。ビーズ保持部６００に流入された試薬は、複数の溝６７０によって保持された複数の磁性ビーズ９６に接触する。複数の磁性ビーズ９６に接触した試薬は、第二流路６０２を介してビーズ保持部６００から流出される。各溝６７０は、第一溝壁部６７１と第二溝壁部６７２とを有する。第一溝壁部６７１と第二溝壁部６７２との間の距離は、底部に向かう程小さくなる。このため、複数の磁性ビーズ９６は、複数の溝６７０の底部に良好に集積される。
【０１１３】
各溝６７０において、第一溝壁部６７１と所定方向６０４とのなす第一角度（θ１）は、第二溝壁部６７２と所定方向６０４とのなす第二角度（θ２）よりも小さい。このため、第一流路６０１から第一開口６１１を介してビーズ保持部６００内に試薬が流入する場合において、試薬が複数の溝６７０に沿って移動するとき、各溝６７０に集積された複数の磁性ビーズ９６は流動し、各溝６７０から外部に移動し易くなる。従って、検査チップ２は、磁性ビーズ９６を試薬と良好に接触させることができるので、磁性ビーズ９６と試薬との接触が阻害されて検査精度が低下することを抑制できる。
【０１１４】
又、第二角度（θ２）は、第一角度（θ１）よりも大きく、略９０度である。このため、ビーズ保持部６００から第二流路６０２に試薬が流出する場合において、ビーズ保持部６００内で試薬が第二開口６１２に向けて移動するとき、各溝６７０に集積された複数の磁性ビーズ９６は、第二溝壁部６７２に引っ掛かり易くなる。すなわち、複数の磁性ビーズ９６は、第二溝壁部６７２に当接して第二溝壁部６７２を乗り越えにくくなる。このため、複数の磁性ビーズ９６は、各溝６７０の内部に保持され易くなり、ビーズ保持部６００の外部へ流出しにくくなる。従って、ビーズ保持部６００から試薬が流出するのと同時に複数の磁性ビーズ９６が流出することを抑制できるので、各溝６７０に複数の磁性ビーズ９６を適切に保持できる。
【０１１５】
検査チップ２の作用領域６９１には、磁石６９０の磁力が作用する。作用領域６９１では、複数の磁性ビーズ９６に対して後側に向かう方向に磁力が作用する。なお、磁性ビーズ９６に対して作用する磁力の方向は、複数の溝６７０の深さ方向に沿って底部に向かう方向と一致する。複数の磁性ビーズ９６は、磁力が作用することによって各溝６７０から外部に移動し難くなる。このように、検査チップ２は、磁石６９０の磁力によって複数の磁性ビーズ９６を各溝６７０の底部側に保持することによって、各溝６７０から複数の磁性ビーズ９６が流出することを抑制できる。
【０１１６】
検査チップ２において、第一開口６１１の第一断面積は、第二開口６１２の第二断面積よりも大きい。又、第一開口６１１と交差する複数の第一溝６７０Ａの数は、第二開口６１２と交差する複数の第二溝６７０Ｂの数よりも多い。この場合、第一流路６０１を介してビーズ保持部６００に流入する試薬は、相対的に多い数の第一溝６７０Ａに流入する。このため、検査チップ２は、相対的に多い数の第一溝６７０Ａに保持された複数の磁性ビーズ９６を、試薬の流入によって良好に流動させることができる。従って、検査チップ２は、ビーズ保持部６００内に流入した試薬を、より多くの磁性ビーズ９６と良好に接触させることができる。一方、ビーズ保持部６００で複数の磁性ビーズ９６に接触した試薬は、相対的に少ない数の第二溝６７０Ｂを通って、第二流路６０２に流出する。従って、検査チップ２は、複数の磁性ビーズ９６がビーズ保持部６００から流出することを、複数の第二溝６７０Ｂの数を少なくすることによって抑制できる。
【０１１７】
各第二溝６７０Ｂの延びる第二溝方向６２２は、第四壁部６０３Ｃの延びる方向６２４Ａと交差する。ここで、ビーズ保持部６００から流出する試薬が、ビーズ保持部６００の第二開口６１２近傍において第四壁部６０３Ｃに沿って方向６２４Ａと平行に移動する場合がある。この場合、試薬は、第二溝方向６２２と交差する方向に移動することになる。この場合において、磁性ビーズ９６が試薬の移動する勢いで移動した場合、複数の磁性ビーズ９６は、交差する向きに配置された各第二溝６７０Ｂの第二溝壁部６７２に引っ掛かり易い。従って、検査チップ２は、第四壁部６０３Ｃに沿って試薬が流れる場合、ビーズ保持部６００から複数の磁性ビーズ９６が流出することを適切に抑制できる。
【０１１８】
磁石６９０は、複数の第二溝６７０Ｂに対して深さ方向に離隔した位置に配置される。各第二溝６７０Ｂの深さ方向の磁力が、複数の磁性ビーズ９６に作用する。複数の磁性ビーズ９６と磁石６９０との間の距離は、各第二溝６７０Ｂの底部に近い位置に配置される磁性ビーズ９６程、短くなる。このため、複数の磁性ビーズ９６に作用する磁力も、各第二溝６７０Ｂの底部に近い位置に配置される磁性ビーズ９６程、強くなる。つまり、複数の磁性ビーズ９６は、各第二溝６７０Ｂのより底部に近い位置で保持され易くなる。ここで、各第二溝６７０Ｂの底部に近い位置で保持される複数の磁性ビーズ９６程、各第二溝６７０Ｂから外部に移動し難い。このため、検査チップ２は、各第二溝６７０Ｂから複数の磁性ビーズ９６が外部に移動することを、各第二溝６７０Ｂの後側に磁石６９０を設けることによって適切に抑制できる。
【０１１９】
ビーズ保持部６００に流入した試薬は、ビーズ保持部６００の第一開口６１１近傍において、第三壁部６０３Ｂに沿って延びる方向６２３Ｂと、隔離部６３１から交点Ｐに向かう方向６３１Ｂとの間の何れかの方向に移動する場合がある。これに対し、第一開口６１１と交差する各第一溝６７０Ａの延びる第一溝方向６２１Ｂは、方向６２３Ｂ、６３１Ｂの間の方向を示す。このため、ビーズ保持部６００に流入する試薬は、各第一溝６７０Ａに沿って移動し易い。各第一溝６７０Ａに沿って試薬が移動した場合、各磁性ビーズ９６は、試薬の移動する勢いで、磁石６９０（図６参照）の磁力に逆らって流動し、各第一溝６７０Ａから僅かに外部に移動する場合がある。この場合、各磁性ビーズ９６が各第一溝６７０Ａに保持された状態と比べて、検査液体９５に含まれる検査対象の物質は、各磁性ビーズ９６に固相化された抗体に結合し易くなる。このように、検査チップ２は、各第一溝６７０Ａに保持された複数の磁性ビーズ９６を、試薬の流入によって良好に流動させ、試薬と接触させることができる。
【０１２０】
検査システム３において、ＣＰＵ１０１は、公転コントローラ９７、主軸モータ３５、自転コントローラ９８、及びステッピングモータ５１によってホルダ５２を回転させることによって、ホルダ５２に保持された検査チップ２に遠心力を作用させる。又、ＣＰＵ１０１は、検査チップ２に作用させる遠心力の方向を、検査チップ２の左辺部８３から右辺部８２に向かう第一遠心方向と、上辺部８１から下辺部８４に向かう第二遠心方向との間で変化させる。これによって、ＣＰＵ１０１は、液受部４１０に一時的に保持された試薬を、第一流路６０１を介してビーズ保持部６００に流入させることができる。又、ＣＰＵ１０１は、第二流路６０２を介してビーズ保持部６００から試薬を流出させることができる。
【０１２１】
なお、複数の溝６７０が並ぶ方向である所定方向６０４は、左右方向（第一遠心方向）に対して僅かに傾斜する。ここで、所定方向６０４と第一遠心方向とが一致し、所定方向６０４と第二遠心方向とが直交する場合を例に挙げる。この場合、第一遠心方向の遠心力が作用した状態で、複数の溝６７０の延びる方向と遠心力の方向とは直交する。このため、遠心力が試薬に作用しても、試薬は移動し難くなる。従って、複数の溝６７０に保持された複数の磁性ビーズ９６は流動し難くなる。又、第二遠心方向に遠心力が作用した状態で、複数の溝６７０の延びる方向と遠心力の方向とは一致する。このため、遠心力が試薬に作用することに応じて、試薬は複数の溝６７０に沿って移動する。この場合、複数の溝６７０に保持された複数の磁性ビーズ９６は、試薬の移動する勢いで複数の溝６７０に沿って移動し易くなるので、ビーズ保持部６００から外部に移動し易くなる。
【０１２２】
これに対し、本実施形態において、所定方向６０４は、第一遠心方向及び第二遠心方向の何れとも交差する。この場合、検査チップ２は、遠心力によって第一流路６０１から流入した試薬を、複数の溝６７０に流入し易くすると同時に、複数の磁性ビーズ９６が第二流路６０２に流出することを抑制できる。
【０１２３】
自転角度の誤差により、第二遠心方向が下方向に対して右方向に僅かにずれる場合がある。これに対し、検査チップ２では、左右方向に対する所定方向６０４の角度をθａとする。これによって、検査チップ２は、第二遠心方向の遠心力に応じてビーズ保持部６００に流入する試薬の第一開口６１１における移動方向と、各溝６７０の延びる方向とが略同一となるようにしている。なお、θａが大きい程、各溝６７０の間の左右方向の距離は長くなる。このため、第一遠心方向の遠心力に応じて試薬がビーズ保持部６００内を移動するとき、各溝６７０は、各溝６７０の外側に移動した複数の磁性ビーズ９６を内部に保持し難くなる。このため検査チップ２では、外部に移動した複数の磁性ビーズ９６を各溝６７０が再度保持できるように、θａを１０度としている。
【０１２４】
検査チップ２では、第一角度（θ１）を４５度とすることによって、ビーズ保持部６００に対する試薬の流入時に複数の磁性ビーズ９６が流動し易くすると同時に、複数の溝６７０の間の間隔を維持しつつ本数を増やすことができる。
【０１２５】
＜８．変形例＞
本発明は上記実施形態に限定されず、種々の変更が可能である。ビーズ保持部６００に保持される担体は、磁性ビーズ９６に限定されず、抗体が固定された他の周知の担体が保持されてもよい。例えば、ビーズ保持部６００に保持される担体として、樹脂ビーズ、シリカ微粒子等が挙げられる。複数の溝６７０の数、複数の第一溝６７０Ａの数、及び複数の第二溝６７０Ｂの数は、上記実施形態の数に限定されず、他の本数でもよい。複数の溝６７０は平行に配置されなくてもよい。例えば、各第一溝６７０Ａの延びる方向と、各第二溝６７０Ｂの延びる方向とが相違していてもよい。複数の溝６７０は直線状に延びる場合に限定されず、湾曲してもよい。複数の溝６７０は、第一壁部６０３Ａの一部分にのみ形成されていてもよい。複数の溝６７０は、第三壁部６０３Ｂ、第四壁部６０３Ｃ、及びシート２９１の後面の少なくとも何れかに設けられてもよい。この場合、第一壁部６０３Ａに複数の溝６７０は設けられなくてもよい。上記において、第一壁部６０３Ａのうち複数の溝６７０が設けられた部分は、作用領域６９１に含まれていた。これに対し、第一壁部６０３Ａのうち複数の溝６７０が設けられた部分の一部分のみが、作用領域６９１に含まれてもよい。
【０１２６】
第一角度は４５度に限定されず、第二角度よりも小さいという条件を満たす他の角度でもよい。但し、第一角度は、３０〜６０度の範囲内であることが好ましい。第二角度は８７度に限定されず、第一角度よりも大きいという条件を満たす他の角度でもよい。但し、第二角度は、８５〜９０度の範囲内であることが好ましい。
【０１２７】
上記実施形態において、検査チップ２は磁石６９０を備えていた。磁石６９０は、磁性ビーズ９６に磁力を作用させることによって、複数の溝６７０の底部に磁性ビーズ９６を保持した。磁石６９０は、検査チップ２に設けられなくてもよい。例えば、磁石６９０は、ホルダ５２の装着部５３のうち、装着された状態の検査チップ２のビーズ保持部６００に後側から近接する位置６９２（図１参照）に設けられてもよい。この場合、検査チップ２に磁石６９０を設ける必要がなくなるので、検査チップ２を小型化、簡素化できる。又、検査チップのコストを削減できる。
【０１２８】
検査チップ２は、別の方法で、複数の溝６７０の底部に磁性ビーズ９６を保持させてもよい。例えば、複数の溝６７０の深さ方向に沿って底部に向かう方向に重力が作用するように、検査チップ２が常に保持されてもよい。これによって、重力によって複数の溝６７０の底部に磁性ビーズ９６を保持してもよい。この場合、磁石６９０は設けられなくてもよい。
【０１２９】
第一開口６１１の第一断面積は、第二開口６１２の第二断面積と略同一であってもよい。この場合、隔離部６３１は、開口６１０の左右方向の中心で、開口６１０と交差してもよい。又、第一断面積は第二断面積より小さくてもよい。この場合、隔離部６３１は、開口６１０の左右方向の中心よりも左側で、開口６１０と交差してもよい。以上の場合、第一溝６７０Ａの数が第二溝６７０Ｂの数よりも大きくなるように、複数の溝６７０の間隔が調整されてもよい。具体的には、第一溝６７０Ａの間隔を、第二溝６７０Ｂの間隔より狭くしてもよい。又、第一溝６７０Ａの数と第二溝６７０Ｂの数とが同一であってもよいし、第一溝６７０Ａの数よりも第二溝６７０Ｂの数の方が大きくてもよい。
【０１３０】
第一溝６７０Ａの延びる第一溝方向６２１Ａ、６２１Ｂと、第三壁部６０３Ｂの延びる方向６２３Ａ、６２３Ｂとは一致してもよい。第二溝６７０Ｂの延びる第二溝方向６２２と、第四壁部６０３Ｃの延びる方向６２４Ａとは一致してもよい。交点Ｐから隔離部６３１に向けて延びる方向６３１Ａと、第一溝６７０Ａの延びる第一溝方向６２１Ａとが一致してもよい。
【０１３１】
上記実施形態において、検査チップ２内の試薬には、検査装置１が駆動することによって第一遠心方向及び第二遠心方向の遠心力が作用した。そして、試薬に遠心力が作用することによって、ビーズ保持部６００に対して試薬が流入し、又は、ビーズ保持部６００から試薬が流出した。これに限らず、検査チップ２内の試薬を移動させるための外力を付与できればよく、検査装置１を用いず、例えば人間が手動で検査チップ２を振動させることによって、ビーズ保持部６００に対して試薬を流入させ、又は、ビーズ保持部６００から試薬を流出させてもよい。
【０１３２】
＜９．その他＞
複数の溝６７０が設けられた第一壁部６０３Ａは本発明の「壁部」の一例である。ビーズ保持部６００は本発明の「保持部」の一例である。液受部４１０は本発明の「導入部」の一例である。シート２９１の後面は本発明の「第二壁部」の一例である。直線６２３は本発明の「第一直線」の一例である。直線６２４は本発明の「第二直線」の一例である。方向６３１Ａは本発明の「第一方向」の一例である。方向６２３Ａは本発明の「第二方向」の一例である。垂直軸線Ａ１は本発明の「主軸」の一例である。水平軸線Ａ２は本発明の「揺動軸」の一例である。公転コントローラ９７、主軸モータ３５、自転コントローラ９８、及びステッピングモータ５１は、本発明の「遠心機構」の一例である。Ｓ６、Ｓ８、Ｓ１０、Ｓ１２、Ｓ１４、Ｓ１６、Ｓ１８、Ｓ２０は、本発明の「流入工程」の一例である。Ｓ７、Ｓ９、Ｓ１１、Ｓ１３、Ｓ１５、Ｓ１７、Ｓ１９、Ｓ２１は、本発明の「流出工程」の一例である。
【符号の説明】
【０１３３】
１        ：検査装置
２        ：検査チップ
３        ：検査システム
５２      ：ホルダ
５３      ：装着部
９０      ：制御装置
９６      ：磁性ビーズ
１０１    ：ＣＰＵ
２９１    ：シート
６００    ：ビーズ保持部
６０１    ：第一流路
６０２    ：第二流路
６０３Ａ  ：第一壁部
６０３Ｂ  ：第三壁部
６０３Ｃ  ：第四壁部
６０４    ：所定方向
６１１    ：第一開口
６１２    ：第二開口
６２１Ａ  ：第一溝方向
６２１Ｂ  ：第一溝方向
６２２    ：第二溝方向
６２３Ａ、６２３Ｂ、６２４Ａ、６３１Ａ、６３１Ｂ、６７１Ａ、６７２Ａ  ：方向
６３１    ：隔離部
６７０    ：溝
６７０Ａ  ：第一溝
６７０Ｂ  ：第二溝
６７１    ：第一溝壁部
６７２    ：第二溝壁部
６９０    ：磁石
６９１    ：作用領域
【図１】
2017032385.tif 000003
【図２】
2017032385.tif 000004
【図３】
2017032385.tif 000005
【図４】
2017032385.tif 000006
【図５】
2017032385.tif 000007
【図６】
2017032385.tif 000008
【図７】
2017032385.tif 000009
【図８】
2017032385.tif 000010
【図９】
2017032385.tif 000011
【図１０】
2017032385.tif 000012
【図１１】
2017032385.tif 000013
【図１２】
2017032385.tif 000014
【図１３】
2017032385.tif 000015
【図１４】
2017032385.tif 000016